(57)【要約】      （修正有）【課題】スプリング式として片手操作によって軸の伸縮操作が出来、不用意な伸長作動をなくして衣服等の汚れを防止すると共に、製造が容易にできる伸縮式ボールペンを提供する。【解決手段】前軸部と該前軸部に伸縮自在の後軸部とよりなり、前軸部は、口金を螺着した前軸本体と、ボールペンリフィルと、第一スプリングを介してボールペンリフィルの芯先を隠蔽する位置まで突出する摺動先金と、該摺動先金を押圧自在とした押圧短杆と、前軸本体に内設したロック機構とよりなり、ロック機構は芯筒に嵌遊したスライドリング、第二スプリング、ロック筒と、芯筒に突設した規制コマとよりなり、この規制コマはロック筒の案内、係止用の溝に侵入しており、後軸部はロック筒に嵌合していて、後軸部の回転により後軸部を伸長させて芯先を露出させると共に、後軸部の押圧により摺動先金の先端をボールペンリフィルの芯先の隠蔽位置まで突出、停止自在とした。【選択図】  図１
2006289767.tif 000002
【特許請求の範囲】
【請求項１】
前軸部と該前軸部の後部内に摺動自在に嵌入して互いの端部位置まで伸縮自在の後軸部とよりなり、前軸部は、口金を螺着した前軸本体と、該前軸本体に内設した芯筒に挿脱自在に緊入して口金より芯先を突出自在としたボールペンリフィルと、該ボールペンリフィルの先端位置において口金と鍔との間に第一スプリングを介してボールペンリフィルの芯先を隠蔽する位置まで突出自在とした摺動先金と、芯筒の基端に設けた固定台座部を貫遊し先端を摺動先金の鍔に接し第一コイルバネに抗して押圧自在とした複数の押圧短杆と、前軸本体に内設したロック機構とよりなり、ロック機構は芯筒に嵌遊して押圧短杆の他端に当接するスライドリングと、芯筒にスライド自在に嵌合しているロック筒と、該ロック筒とスライドリングの間に設けた第二スプリングと芯筒の後端部に突設した規制コマとよりなり、この規制コマはロック筒の軸線方向に設けた直線溝に侵入しており、この直線溝の終端部は軸線からずれた位置に傾斜する傾斜誘導面と掛止凹面とを設けた三角形状の誘導穴に連続してあって、該掛止凹面に規制コマの停止を自在としており、後軸部はロック筒に嵌合していて基端部はロック筒の中間段部に当接していて傾斜誘導面方向に回転操作を自在としてあり、後軸部の回転操作により後軸部を伸長させて芯先を露出させると共に、後軸部の押圧により摺動先金の先端をボールペンリフィルの芯先の隠蔽位置まで突出、停止自在とした伸縮式ボ−ルペン。
【発明の詳細な説明】
【技術分野】
【０００１】
本発明は伸縮式のボールペンに関する。
【背景技術】
【０００２】
従来の伸縮式のボールペンは、不使用時には前軸部と後軸部の間隔の前後の縮小操作によって押し杆を摺動先金に衝当させ、これによって摺動先金をボールペンリフィルの芯先隠蔽位置まで突出させ、又使用時には前軸部と後軸部の間隔の前後の伸張作動によって押し杆と摺動先金の衝当を解いて摺動先金をボールペンリフィルの芯先を露出する位置まで引っ込ませるようにしていたものとか、ノック式にて伸縮させるものがあった。
【０００３】
然しながら前者の伸縮式ボールペンにあっては、その伸縮操作は両手を使用しなければならず、歩留まりが悪くなったり、組立作業も複雑でコスト高となる恐れがあり、又ノック式の伸縮ボールペンにあっては携帯時に不用意に伸長してしまい衣服などを汚す恐れがある。
【発明の開示】
【発明が解決しようとする課題】
【０００４】
そこで本発明は、スプリング式として片手操作によって伸縮操作ができ、且つ縮小状態をロック方式で維持して不用意な伸長作動をなくし、歩留まりの良い加工ができ、組立も比較的簡単にできる伸縮式ボールペンを提供しようとするものである。
【課題を解決するための手段】
【０００５】
前軸部と該前軸部の後部内に摺動自在に嵌入して互いの端部位置まで伸縮自在の後軸部とよりなり、前軸部は、口金を螺着した前軸本体と、該前軸本体に内設した芯筒に挿脱自在に緊入して口金より芯先を突出自在としたボールペンリフィルと、該ボールペンリフィルの先端位置において口金と鍔との間に第一スプリングを介してボールペンリフィルの芯先を隠蔽する位置まで突出自在とした摺動先金と、芯筒の基端に設けた固定台座部を貫遊し先端を摺動先金の鍔に接し第一コイルバネに抗して押圧自在とした複数の押圧短杆と、前軸本体に内設したロック機構とよりなり、ロック機構は芯筒に嵌遊して押圧短杆の他端に当接するスライドリングと、芯筒にスライド自在に嵌合しているロック筒と、該ロック筒とスライドリングの間に設けた第二スプリングと芯筒の後端部に突設した規制コマとよりなり、この規制コマはロック筒の軸線方向に設けた直線溝に侵入しており、この直線溝の終端部は軸線からずれた位置に傾斜する傾斜誘導面と掛止凹面とを設けた三角形状の誘導穴に連続してあって、該掛止凹面に規制コマの停止を自在としており、後軸部はロック筒に嵌合していて基端部はロック筒の中間段部に当接していて傾斜誘導面方向に回転操作を自在としてあり、後軸部の回転操作により後軸部を伸長させて芯先を露出させると共に、後軸部の押圧により摺動先金の先端をボールペンリフィルの芯先の隠蔽位置まで突出、停止自在とした伸縮式ボ−ルペンである。
【０００６】
本発明の効果として、片手操作によって伸長状態にして筆記することができ、然も縮小状態を不用意に外れないように維持して衣服などの汚れうを防ぎ、然も歩留まりの良い加工ができ、組立も比較的簡単でコストを下げることが出来る。
【実施例】
【０００７】
前軸部１と該前軸部１の後部内に摺動自在に嵌入して互いの端部位置までスライドストッパー２２を介して伸縮自在の後軸部２とよりなり、前軸部１は、口金３を螺着した前軸本体４と、該前軸本体４に内設した芯筒５に挿脱自在に緊入して口金３より芯先６’を突出自在としたボールペンリフィル６と、該ボールペンリフィル６の先端位置において口金３と後述の摺動先金９の鍔７との間に第一スプリング８を介してボールペンリフィル６の芯先６’を隠蔽する位置まで突出自在とした摺動先金９と、芯筒５の基端に設けて前軸本体４の中間位置に内設した固定台座部１０の通孔１１，１１を貫遊し、先端を摺動先金９の鍔７に接し第一スプリング８に抗して押圧自在とした複数の押圧短杆１２と、前軸本体４に内設したロック機構１３とよりなっている。
【０００８】
ロック機構１３は芯筒５に嵌遊して押圧短杆１２の他端に当接するスライドリング１４と、芯筒５にスライド自在に嵌合しているロック筒１５と、該ロック筒１５の中間段部１５’とスライドリング１４の間に設けた第二スプリング１６と芯筒５の後端部に突設した規制コマ１７とよりなっている。
【０００９】
この規制コマ１７はロック筒１５の軸線方向に設けた直線溝１８に侵入して走行自在になっており、この直線溝１８の終端部は、軸線からずれた位置に傾斜する傾斜誘導面１９(図面においては下側に傾斜。)と掛止凹面２０とを設けた三角形状の誘導穴２１に連続してあって、規制コマ１７は傾斜誘導面１９に沿って移動し掛止凹面２０に停止を自在としている。この際掛止凹面２０と直線溝１８の連続境界面２０’は鋭角状に突出していて確実に規制コマ１７が掛止凹面２０に停止するようにしてある。
【００１０】
後軸部２はロック筒１５に嵌合していて基端部はロック筒１５の中間段部１５’に当接していて傾斜誘導面１９方向に回転操作を自在としてあり、後軸部２の回転操作により該後軸部２を伸長させて芯先６’を露出させると共に、後軸部２の前軸本体４方向への押圧により摺動先金９の先端をボールペンリフィル６の芯先６’の隠蔽位置まで突出、停止自在としたものである。
【００１１】
後軸部２の回転操作をするには、指を後軸部の表面に当てたりしてするが、図示しない凹凸などを表面に設けておいて回転操作をし易くしておくと良く、通常は１０〜２０度くらい(規制コマが掛止凹面から外れる角度。)の回転操作でよいが３６０度回転するようにしておいても良い。
【作用】
【００１２】
以下その作用を説明する。図１は筆記状態に伸ばした縦断面図であるが、この伸長状態から縮小状態にするには、後軸部２を押圧することによって中間段部１５’、ロック筒１５、第ニスプリング１６、スライドリング１４、押圧短杆１２、と押圧力が伝わり鍔７、摺動先金９を第一スプリング８に抗して先方に押し出し、芯先６’を隠蔽する。この時の規制コマ１７は図４に示すように直線溝１８の中間に位置するが、後軸部２の押圧によって誘導穴２１の傾斜誘導面１９の頂部に移動し(図５)、後軸部２の押圧を解くことによりスプリング８，１６によってロック筒１５は少し後方に移動し、規制コマ１７は掛止凹面２０に停止して(図６)、芯先６’は摺動先金９に隠蔽され、収納状態になる。
【００１３】
図３、図６の芯先６’の収納状態から図１の伸長状態にするには、後軸部２を図において下側に回転操作することにより、その回転操作が中間段部１５’、ロック筒１５と伝わって、規制コマ１７は第ニスプリング１６の押圧に抗して連続境界面２０’直線溝１８に位置し中間部まで移動し、図４のように後軸部２が伸び、摺動先金９が引っ込み芯先６’が露呈して筆記出来る状態になる。
【００１４】
クリップは付けていないが、必要によっては前軸本体４に取付けることが出来る。
【００１５】
本発明は以上のように構成されるもので、構造上の主要部であるロック機構１３、後軸部２などの構造が簡単で、且つ加工、組立作業も簡単で歩留まりが良く安価に提供することができ、殊に、筆記作業においては片手操作によって伸長作業ができるので緊急時における筆記に便利であり、且つ縮小状態を完全にロック状態に維持して不用意な伸長作動をなくして衣服などの汚れを防止するものである。
【図面の簡単な説明】
【００１６】
【図１】本発明に係る伸縮式ボールペンの伸長時(筆記時)の断面説明図
【図２】同縮小作業途中時の断面説明図
【図３】同縮小時の断面説明図
【図４】前軸部と後軸部を除いた内部機構を示した伸長時の分解説明図
【図５】同縮小作業途中の分解説明図
【図６】同縮小時の分解説明図
【符号の説明】
【００１７】
１：前軸部
２：後軸部
３：口金
４：前軸本体
５：芯筒
６：ボールペンリフィル
７：鍔
８：第一スプリング
９：摺動先金
１０：固定台座部
１１：通孔
１２、押圧短杆
１３：ロック機構
１４：スライドリング
１５：ロック筒
１５’：中間段部
１６：第ニスプリング
１７：規制コマ
１８：直線溝
１９：傾斜誘導面
２０：掛止凹面
２０’：連続境界面
２１：誘導穴
２２：スライドストッパー
【図１】
2006289767.tif 000003
【図２】
2006289767.tif 000004
【図３】
2006289767.tif 000005
【図４】
2006289767.tif 000006
【図５】
2006289767.tif 000007
【図６】
2006289767.tif 000008
【手続補正書】
【提出日】平成17年4月14日(2005.4.14)
【手続補正１】
【補正対象書類名】特許請求の範囲
【補正対象項目名】請求項１
【補正方法】変更
【補正の内容】
【請求項１】
前軸部と該前軸部の後部内に摺動自在に嵌入して互いの端部位置まで伸縮自在の後軸部とよりなり、前軸部は、口金を螺着した前軸本体と、該前軸本体に内設した芯筒に挿脱自在に緊入して口金より芯先を突出自在としたボールペンリフィルと、該ボールペンリフィルの先端位置において口金と鍔との間に第一スプリングを介してボールペンリフィルの芯先を隠蔽する位置まで突出自在とした摺動先金と、芯筒の基端に設けた固定台座部を貫遊し先端を摺動先金の鍔に接し第一スプリングに抗して押圧自在とした複数の押圧短杆と、前軸本体に内設したロック機構とよりなり、ロック機構は芯筒に嵌遊して押圧短杆の他端に当接するスライドリングと、芯筒にスライド自在に嵌合しているロック筒と、該ロック筒とスライドリングの間に設けた第二スプリングと芯筒の後端部に突設した規制コマとよりなり、この規制コマはロック筒の軸線方向に設けた直線溝に侵入しており、この直線溝の終端部は軸線からずれた位置に傾斜する傾斜誘導面と掛止凹面とを設けた三角形状の誘導穴に連続してあって、該掛止凹面に規制コマの停止を自在としており、後軸部はロック筒に嵌合していて基端部はロック筒の中間段部に当接していて傾斜誘導面方向に回転操作を自在としてあり、後軸部の回転操作により後軸部を伸長させて芯先を露出させると共に、後軸部の押圧により摺動先金の先端をボールペンリフィルの芯先の隠蔽位置まで突出、停止自在とした伸縮式ボ−ルペン。
【手続補正２】
【補正対象書類名】明細書
【補正対象項目名】０００５
【補正方法】変更
【補正の内容】
【０００５】
前軸部と該前軸部の後部内に摺動自在に嵌入して互いの端部位置まで伸縮自在の後軸部とよりなり、前軸部は、口金を螺着した前軸本体と、該前軸本体に内設した芯筒に挿脱自在に緊入して口金より芯先を突出自在としたボールペンリフィルと、該ボールペンリフィルの先端位置において口金と鍔との間に第一スプリングを介してボールペンリフィルの芯先を隠蔽する位置まで突出自在とした摺動先金と、芯筒の基端に設けた固定台座部を貫遊し先端を摺動先金の鍔に接し第一スプリングに抗して押圧自在とした複数の押圧短杆と、前軸本体に内設したロック機構とよりなり、ロック機構は芯筒に嵌遊して押圧短杆の他端に当接するスライドリングと、芯筒にスライド自在に嵌合しているロック筒と、該ロック筒とスライドリングの間に設けた第二スプリングと芯筒の後端部に突設した規制コマとよりなり、この規制コマはロック筒の軸線方向に設けた直線溝に侵入しており、この直線溝の終端部は軸線からずれた位置に傾斜する傾斜誘導面と掛止凹面とを設けた三角形状の誘導穴に連続してあって、該掛止凹面に規制コマの停止を自在としており、後軸部はロック筒に嵌合していて基端部はロック筒の中間段部に当接していて傾斜誘導面方向に回転操作を自在としてあり、後軸部の回転操作により後軸部を伸長させて芯先を露出させると共に、後軸部の押圧により摺動先金の先端をボールペンリフィルの芯先の隠蔽位置まで突出、停止自在とした伸縮式ボ−ルペンである。